(57)【要約】【課題】胸にベルトまたは貼り付け、非装着時に警告信号を非発生にする心電情報取得装置の提供【解決手段】 胸に装着ベルトまたは貼り付けることによって固定され、心電異常の時に警告信号を発生する心電情報得装置であって、心電波形の第１の閾値を越えるピーク値（Ｒ波）と次のピーク値（Ｒ波）との間に発生するノイズのピーク値が所定の第２の閾値を越えるノイズの数を除して算出されるノイズ間隔が所定値よりも小さい時、ノイズと判定し、前記警告信号を発生しないように制御する。【選択図】図６
2015229046.tif 000002
【特許請求の範囲】
【請求項１】
少なくとも一対の電極を備えた電極部と、前記少なくとも一対の電極の間に発生した電位に基づいて心電波形およびノイズを検出する信号波形検出部と、装着ベルトまたは貼り付けることによって胸部に固定され、心電異常の時に警告信号を発生する心電情報取得装置であって、前記心電波形の第１の閾値を越えるピーク値（Ｒ波）と次のピーク値（Ｒ波）との間に発生するノイズのピーク値が所定の第２の閾値を越えるノイズの数を除して算出されるノイズ間隔が所定値よりも小さい時、前記警告信号を発生しないように制御する心電情報取得装置。
【請求項２】
前記本ノイズが前記所定値を越えているときは利用者に報知部を制御してその旨を報知する請求項１に記載の心電情報取得装置。
【発明の詳細な説明】
【技術分野】
【０００１】
本発明は、被験者の心電情報を取得する心電情報取得装置に関する。
【背景技術】
【０００２】
特許文献１は、人体に長時間、たとえば２４時間、被験者の心電情報を取得する装置として本出願人が出願した心電情報を測定する装置として特許文献１が知られている。特許文献１は、被験者の心電を長時間測定し、長時間記録するモードと、心電の異常を自覚したとき、被験者また医師が認識したときに、イベントスイッチと称するスイッチを押し、押した時点から所定時間前後の心電を記録するものである。
【０００３】
特許文献２は、健康管理データ判定手段が異常と判定したときの前後の心電データを一定時間記憶する健康管理支援装置で、異常と判定されたときにはその旨を報知するものである。
【先行技術文献】
【特許文献】
【０００４】
【特許文献１】特開２０１２−４５１９５号公報
【特許文献２】特開２００４−１４８０５６号公報
【発明の概要】
【発明が解決しようとする課題】
【０００５】
以上に述べた特許文献１では、被験者の心電を長時間記録するが、心電の異常を感じた時に被験者または医師がイベントスイッチと称するスイッチを押すことによってその押した前後の心電を記録するものであるが、イベントスイッチを押さなければ心電を記録するには長時間記憶するメモリが必要となる。
【０００６】
特許文献２では、心電が異常時に報知するものであるが、心電情報取得装置を胸に取り付けているときは心電を測定する。すなわち心電異常判定を検知すると自動的にその前後の所定時間の心電を記録するものである。特許文献２においてその心電情報取得装置を胸から取り外したときは外部からノイズが心電異常と同じような信号の場合には同じように心電異常と同じ報知をする恐れがあるが、その点について考慮されていない。その度に医師が駆けつけて診断をするようになる欠点を有する。また、心電情報取得装置を胸から外すときに、電源スイッチを設けて電源スイッチを切断することも考えられるが、電源スイッチの切断を忘れる場合があり、そのとき外部からノイズが侵入して上述のように心電異常と同じような信号の場合には同じように心電異常と同じ報知をする恐れがある。また、電源スイッチを必要としないのでコストダウンにつながる。また、ノイズパターンを多数記憶しておいてそのパターンに合致したらノイズと判断する方法もあるが、その方法もコストアップにつながる。
【０００７】
本発明は、このような従来の構成が有していた問題を解決しようとするものであり、心電情報取得装置を被験者から取り外した時に、コストをかけずに心電異常と判断しないようにノイズと判定して心電異常信号の発生を防ぐことを目的とするものである。
【課題を解決するための手段】
【０００８】
請求項１は、少なくとも一対の電極を備えた電極部と、前記少なくとも一対の電極の間に発生した電位に基づいて心電波形およびノイズを検出する信号波形検出部と、装着ベルトまたは貼り付けることによって胸部に固定され、心電異常の時に警告信号を発生する心電情報取得装置であって、前記心電波形の第１の閾値を越えるピーク値（Ｒ波）と次のピーク値（Ｒ波）との間に発生するノイズのピーク値が所定の第２の閾値を越えるノイズの数を除して算出されるノイズ間隔が所定値よりも小さい時、前記警告信号を発生しないように制御する心電情報取得装置を提供するものである。
【０００９】
請求項２は、前記本ノイズが前記所定値を越えているときは利用者に報知部を制御してその旨を報知する請求項１に記載の心電情報取得装置を提供するものである。
【発明の効果】
【００１０】
上述したように、本発明の心電情報取得装置は、身体から外したときには心電異常と同じような状況が生じない。また電源スイッチを設けないので、電源スイッチを操作し忘れもなく、コスト的にも安くすむ。
【図面の簡単な説明】
【００１１】
【図１】心電計システムの概念図
【図２】１つのチャネル、例えばＣＣ５誘導データを出力する１チャネル心電測定モード
【図３】２つのチャネル、例えばＣＣ５とＣＭ５誘導データを出力する２チャネル誘導データを出力する２チャネル心電測定モード
【図４】被験者の心電位を検出した心電波形図の基本的な例
【図５】心電情報取得装置の作動の制御をつかさどるコンピュータの作動を示すフローチャート
【図６】心電波形とノイズの関係を示す図
【００１２】
図１は、本発明の心電計システムの概念図を示す。
【００１３】
１は、心電計を、２はコンピュータを示し、心電計１とコンピュータ２は双方向通信を行なうことができるよう１Ｃで示す通信部、２Ｃで示す通信アダプターを備えている。
【００１４】
３は、心電計１を不図示の固定部材で固定するためのベルトを示し、３Ｌ、３Ｒを示す孔を有し、不図示の背面ゴムベルトが取り付けられ、被診断者の胸に巻き回して固定できる。
【００１５】
４Ｌは左胸部電極、４Ｒ１、４Ｒ２は右胸部電極を示し、被診断者の胸にそれぞれ接触し、心電信号を出力する。
【００１６】
５Ｒ、５Ｇ、５Ｙはそれぞれ赤ＬＥＤ、緑ＬＥＤ、黄ＬＥＤを示し、動作状態を示す。
【００１７】
６はイベントスイッチを示し、イベントスイッチ６を押してオンしたときに、その前後の心電波形を記録する。
【００１８】
７は被診断者の名前等の被診断者情報等および心電波形を記録するメモリカードを示す。
【００１９】
８は、誘導コードを接続する接続端子を示す。
【００２０】
９は振動モータを示し、記録開始信号が出力されてもメモリカードに記録がされないと振動モータ９が駆動されて被診断者に振動を伝達して知らせる。
【００２１】
１０はコンピュータ２のディスプレイ、１１はコンピュータ２で被診断者の名前等の被診断者情報等を入力するキーボードを示す。
【００２２】
図２は、１つのチャネル、例えばＣＣ５誘導データを出力する１チャネル心電測定モードを示す。
【００２３】
Ｈは被診断者で心電計１を装着したベルト３を胸に巻いて例えばＣＣ５誘導データを測定する1チャネル心電測定モードを示す。
【００２４】
図３は、２つのチャネル、例えばＣＣ５とＣＭ５誘導データを出力する２チャネル誘導データを出力する２チャネル心電測定モードを示す。
【００２５】
被診断者Ｈに心電計1を装着したベルト３を胸に巻くと共に２チャネル用接続端子８に一端を接続する１２で示す２チャネル誘導コードの他端に１３で示すディスポ電極を胸の中央上部に貼り付けてＣＣ５とＣＭ５誘導データを出力する２チャネル心電測定モードを示す。
【００２６】
図４は、被験者の心電位を検出した心電波形図の基本的な例を示す。
【００２７】
Ｐ、Ｑ、Ｒ、Ｓ、Ｔで示された心電図部分のうち、血液を左心室から大動脈に送り出すときに生じるＲ波と次のＲ波であるＲ−Ｒ間隔を取り上げる。
【００２８】
図５は、本発明の心電情報取得装置の作動の制御をつかさどるコンピュータの作動を示すフローチャートである。
【００２９】
まず、Ｓ１でＲ波を検出し、Ｓ２で、その検出の基準となるＲ波の閾を設定し、Ｓ３で、その閾を越えるＲ波と次の同じく閾を越えるＲ波の間隔、Ｒ−Ｒ時間を検出する。
【００３０】
Ｓ４で、Ｒ波と同様にノイズの閾を設定し、Ｓ５でＲ−Ｒ間でノイズ閾を越えるノイズの数をカウントする。
【００３１】
Ｓ６でノイズの間隔Ｄを、Ｒ―Ｒ時間をノイズの数で除して求める。
【００３２】
Ｓ７でノイズ間隔Ｄが基準となるＤ０より大であるかどうかを判定し、ノイズ間隔Ｄが、Ｄ０より大きくない場合をノイズありと判定し、自動的に心電を記録するオートトリガ機能を阻止し、Ｓ８では次のステップに進み、ジドウトリガ機能の作動が可能になる。
【００３３】
図６は、心電波形とノイズの関係を示す図で、たとえば２４時間のように長時間でかつ省電力で動作させるため心電波形のサンプリング間隔を８ｍｍｓｅｃでサンプリングをした例を示す。ここではノイズが混入している場合の心電波形を示している。
【００３４】
Ｒ波検出のため、Ｒ波上限閾とＲ波下限閾を設定し、同様にノイズ検出のためのノイズ上限閾とノイズ下限閾を設定する。
【００３５】
Ｒ波はＲ波上限閾を越え、Ｒ波下限閾より下回ったＲ波を１つのＲ波と認識し、ノイズはノイズ上限閾を越え、ノイズ下限閾を下回った時点でカウントアップする。
【００３６】
２つのＲ波を検出するとＲ波とＲ波の間の時間、Ｒ−Ｒ時間が算出され、このＲ−Ｒ時間内にいくつのノイズが発生しているかを算出し、図６では番号でノイズカウンタ値を示している。
【００３７】
Ｒ−Ｒ時間をノイズカウンタ値で除することにより平均ノイズ時間間隔を算出する。図５では、Ｒ−Ｒ時間は２４０ｍｓｅｃで、カウンタ値が７であるので、２４０ｍｓｅｃを７で除するので３４．２８ｍｓｅｃとなる。ここではあらかじめノイズ間隔時間が１６０１ｍｓｅｃ以下ではノイズとして処理される。
【００３８】
本発明の実施形として図１に示すような心電計１を不図示の固定部材で固定するためのベルトの形式で述べたが、本出願人が出願した特開２０１２−４５１９５号公報の図９に示したようなベルトを使用せずに心電計測定部を被験者の被測定箇所に貼り付けるタイプで実施してもよい。
【符号の説明】
【００３９】
１・・・・・・・・・・・・・心電計
２・・・・・・・・・・・・・コンピュータ
２Ｃ・・・・・・・・・・・・通信アダプター
３・・・・・・・・・・・・・ベルト
４Ｌ・・・・・・・・・・・・左胸部電極
４Ｒ１、４Ｒ２・・・・・・・右胸部電極
５Ｒ、５Ｇ、５Ｙ・・・・・・ＬＥＤ
６・・・・・・・・・・・・・イベントスイッチ
７・・・・・・・・・・・・・メモリカード
８・・・・・・・・・・・・・２チャネル用接続端子
９・・・・・・・・・・・・・振動モータ
１０・・・・・・・・・・・・ディスプレイ
１１・・・・・・・・・・・・キー
１２・・・・・・・・・・・・誘導コード
１３・・・・・・・・・・・・ディスポ電極
【図１】
2015229046.tif 000003
【図２】
2015229046.tif 000004
【図３】
2015229046.tif 000005
【図４】
2015229046.tif 000006
【図５】
2015229046.tif 000007
【図６】
2015229046.tif 000008